(57)【要約】【課題】破砕機の制御装置及び破砕機の制御方法に関し、簡素な構成で、振動フィーダやクラッシャを安定して作動させるとともに破砕効率を向上させる。【解決手段】クラッシャ４，振動フィーダ５，クラッシャ４の駆動源としての第一油圧モータ４ａ及び振動フィーダ５の駆動源としての第二油圧モータ５ａを備えた破砕機の制御装置である。  クラッシャ４の内部に存在する被破砕物量を検出する被破砕物量検出手段３ａ，３ｂと、該被破砕物量が第一所定量以上となった場合に第二油圧モータ５ａへ供給される作動油流量の上限値を所定上限値以下に制限する制限手段１ｃと、制限手段１ｃによる該作動油流量の制限時において該被破砕物量が該第一所定量よりも少ない第二所定量未満となった場合に該所定上限値の制限を解除する制限解除手段１ｄとを備える。【選択図】図３
2009142731.tif 000002
【特許請求の範囲】
【請求項１】
被破砕物を破砕するクラッシャと、該被破砕物を該クラッシャへ供給する振動フィーダと、該クラッシャの駆動源としての第一油圧モータと、該振動フィーダの駆動源としての第二油圧モータとを備えた破砕機において、
該クラッシャの内部に存在する被破砕物量を検出する被破砕物量検出手段と、
該被破砕物量検出手段で検出された該被破砕物量が第一所定量以上となった場合に、該第二油圧モータへ供給される該作動油流量の該上限値を所定上限値以下に制限する制限手段と、
該制限手段による該作動油流量の制限時において、該被破砕物量検出手段で検出された該被破砕物量が該第一所定量よりも少ない第二所定量未満となった場合に、該所定上限値の制限を解除する制限解除手段と
を備えたことを特徴とする、破砕機の制御装置。
【請求項２】
該制限手段が、該被破砕物量が該第一所定量以上のまま第一所定時間経過したときに、該作動油流量の上限値を制限するとともに、
該制限解除手段が、該被破砕物量が該第二所定量未満のまま第二所定時間経過したときに、該作動油流量の上限値の制限を解除する
ことを特徴とする、請求項１記載の破砕機の制御装置。
【請求項３】
該被破砕物量検出手段が、該クラッシャの内部において鉛直方向に連設された複数のレベルセンサを有する
ことを特徴とする、請求項１又は２記載の破砕機の制御装置。
【請求項４】
被破砕物を破砕するクラッシャと、該被破砕物を該クラッシャへ供給する振動フィーダと、該クラッシャの駆動源としての第一油圧モータと、該振動フィーダの駆動源としての第二油圧モータとを備えた破砕機の制御方法であって、
該クラッシャの内部に存在する被破砕物量を検出する被破砕物量検出ステップと、
該被破砕物量検出ステップで検出された該被破砕物量が第一所定量以上となった場合に、該第二油圧モータへ供給される該作動油流量の該上限値を所定上限値以下に制限する制限ステップと、
該制限ステップによる該作動油流量の制限後に、該被破砕物量検出ステップで検出された該被破砕物量が該第一所定量よりも少ない第二所定量未満となった場合に、該所定上限値の制限を解除する第二制限解除ステップと
を備えたことを特徴とする、破砕機の制御方法。
【請求項５】
該制限ステップにおいて、該被破砕物量が該第一所定量以上のまま第一所定時間経過したときに、該作動油流量の上限値を制限するとともに、
該制限解除ステップにおいて、該被破砕物量が該第二所定量未満のまま第二所定時間経過したときに、該作動油流量の上限値の制限を解除する
ことを特徴とする、請求項４記載の破砕機の制御方法。
【発明の詳細な説明】
【技術分野】
【０００１】
本発明は、油圧駆動のクラッシャ及び振動フィーダを備えた破砕機において、クラッシャの駆動圧に応じて振動フィーダの駆動速度を制御する制御装置及び制御方法に関する。
【背景技術】
【０００２】
従来、クラッシャに被破砕物を供給する振動フィーダを備えた破砕機では、クラッシャでの破砕状態を検知しながら振動フィーダを駆動して、被破砕物が過剰にクラッシャ内部へ供給されないように制御している。
例えば、特許文献１には、破砕装置（クラッシャ）の駆動装置である油圧モータが過負荷状態となったときに、フィーダの油圧モータを停止又は減速させる技術が開示されている。この技術では、破砕装置用油圧モータの負荷を検出するセンサとして、モータ回転速度を検出する回転センサや、モータへ供給される作動油の油圧の大きさを検出する圧力センサが用いられている。また、これらのセンサで検出された負荷が所定の閾値を超えた場合に、被破砕物の供給量を減少させる制御が実施されている。このような構成により、破砕機での破砕動作を続行させつつ過負荷状態を自然に解除することができるようになっている。
【０００３】
また、特許文献２には、クラッシャの内部に滞留している被破砕物量に応じてフィーダの駆動速度を変更自在に制御する技術が開示されている。この技術では、クラッシャの上部に設けられた超音波センサを用いてクラッシャ内の被破砕物の高さを検出し、被破砕物量が一定となるようにフィーダの速度を制御している。また、被破砕物量の経時変化に基づいて単位時間当たりにクラッシャで処理される実際破砕量を演算し、この実際破砕量に見合った量の被破砕物を供給する制御も記載されている。これらのような制御により、クラッシャ内の被破砕物を破砕力が効率的に作用する量で安定供給することができるとされている。
【特許文献１】特開平９−２３９２８６号公報
【特許文献２】特開平１１−２６７５４５号公報
【発明の開示】
【発明が解決しようとする課題】
【０００４】
ところで、クラッシャ用モータに作用する負荷変動に着目すると、破砕されていない被破砕物がクラッシャ内部に滞留するほど負荷が上昇し、それらの被破砕物が一旦破砕されるとそれまで作用していた負荷が低下する。つまり、モータの負荷は被破砕物の破砕プロセス毎に周期的に変動し、たとえ同一種類の被破砕物を処理していたとしても負荷変動の幅が大きい。そのため、上述の特許文献１に記載された制御では、負荷変動に対して過剰に制御が働きやすく、モータの負荷が安定しないという課題がある。例えば、所定の閾値を中心とした周期的な振動変化（ハンチング）が生じる場合がある。
【０００５】
また、特許文献２に記載された制御においても同様であり、クラッシャ内の被破砕物の高さが不連続に大きく変動するような場合に制御が不安定になる。例えば、サイズの大きい自然石の破砕作業では、クラッシャ内への被破砕物の投入と同時に被破砕物の高さ（被破砕物量）が急増するため、正確な制御が難しく破砕効率が上昇しない。
このように、クラッシャの負荷に応じて振動フィーダの駆動速度を制御する従来の制御では、振動フィーダやクラッシャを安定して連続稼働させることができないという課題がある。
【０００６】
本発明は、このような課題に鑑みてなされたもので、簡素な構成で、振動フィーダやクラッシャを安定して作動させるとともに破砕効率を向上させることができる破砕機の制御装置及び破砕機の制御方法を提供することを目的とする。
【課題を解決するための手段】
【０００７】
上記目的を達成するため、請求項１記載の本発明の破砕機の制御装置は、被破砕物を破砕するクラッシャと、該被破砕物を該クラッシャへ供給する振動フィーダと、該クラッシャの駆動源としての第一油圧モータと、該振動フィーダの駆動源としての第二油圧モータとを備えた破砕機において、該クラッシャの内部に存在する被破砕物量を検出する被破砕物量検出手段と、該被破砕物量検出手段で検出された該被破砕物量が第一所定量以上となった場合に、該第二油圧モータへ供給される該作動油流量の該上限値を所定上限値以下に制限する制限手段と、該制限手段による該作動油流量の制限時において、該被破砕物量検出手段で検出された該被破砕物量が該第一所定量よりも少ない第二所定量未満となった場合に、該所定上限値の制限を解除する制限解除手段とを備えたことを特徴としている。
【０００８】
また、請求項２記載の本発明の破砕機の制御装置は、請求項１記載の構成に加えて、該制限手段が、該被破砕物量が該第一所定量以上のまま第一所定時間経過したときに、該作動油流量の上限値を制限するとともに、該制限解除手段が、該被破砕物量が該第二所定量未満のまま第二所定時間経過したときに、該作動油流量の上限値の制限を解除することを特徴としている。
【０００９】
また、請求項３記載の本発明の破砕機の制御装置は、請求項１又は２記載の構成に加えて、該被破砕物量検出手段が、該クラッシャの内部において鉛直方向に連設された複数のレベルセンサを有することを特徴としている。
請求項４記載の本発明の破砕機の制御方法は、被破砕物を破砕するクラッシャと、該被破砕物を該クラッシャへ供給する振動フィーダと、該クラッシャの駆動源としての第一油圧モータと、該振動フィーダの駆動源としての第二油圧モータとを備えた破砕機の制御方法であって、該クラッシャの内部に存在する被破砕物量を検出する被破砕物量検出ステップ（Ｆ１０）と、該被破砕物量検出ステップで検出された該被破砕物量が第一所定量以上となった場合に、該第二油圧モータへ供給される該作動油流量の該上限値を所定上限値以下に制限する制限ステップ（Ｅ３０〜Ｅ４０）と、該制限ステップによる該作動油流量の制限後に、該被破砕物量検出ステップで検出された該被破砕物量が該第一所定量よりも少ない第二所定量未満となった場合に、該所定上限値の制限を解除する第二制限解除ステップ（Ｅ５０〜Ｅ２０）とを備えたことを特徴としている。
【００１０】
また、請求項５記載の本発明の破砕機の制御方法は、請求項４記載の構成に加えて、  該第一制限ステップにおいて、該制限ステップにおいて、該被破砕物量が該第一所定量以上のまま第一所定時間経過したときに、該作動油流量の上限値を制限するとともに、該制限解除ステップにおいて、該被破砕物量が該第二所定量未満のまま第二所定時間経過したときに、該作動油流量の上限値の制限を解除することを特徴としている。
【発明の効果】
【００１１】
本発明の破砕機の制御装置（請求項１）及び制御方法（請求項４）によれば、被破砕物量に応じて振動フィーダの駆動速度を制御することで、クラッシャが過負荷になることを未然に防ぐことができる。また、第二油圧モータへの作動油流量を制限する制御の終了条件である被破砕物量が、開始条件の被破砕物量よりも少なめに設定されているため、駆動圧の変動にヒステリシスを設けることができ、制御のハンチング（第一所定量の前後で変動する駆動圧の振動変化）を防止することができる。これにより、クラッシャの安定駆動が可能となり、破砕効率を向上させることができる。
【００１２】
また、本発明の破砕機の制御装置（請求項２）及び制御方法（請求項５）によれば、振動フィーダの速度制御の開始条件及び終了条件のそれぞれに時間条件を付加することにより、被破砕物量検出手段で検出される被破砕物量の一時的な変動や検出値のノイズ成分に起因する誤作動を防止することができる。
また、本発明の破砕機の制御装置（請求項３）によれば、複数のレベルセンサを鉛直方向に連ねて設けることにより、簡素な構成で容易に被破砕物量を把握することができる。
【発明を実施するための最良の形態】
【００１３】
以下、図面により、本発明の実施の形態について説明する。
図１〜図１３は本発明の一実施形態に係る破砕機の制御装置を説明するためのものであり、図１は本制御装置が適用された自走式破砕機の全体構成を示す側面図、図２はその自走式破砕機の内部構成を模式的に示す簡易断面図、図３は本制御装置に係る油圧回路・制御ブロック構成図である。
【００１４】
図４〜図１０は本制御装置の制御内容を示すフローチャートであり、図４〜図７はクラッシャの駆動圧に基づき振動フィーダの駆動速度を制御するためのものを示し、図８〜図１０はクラッシャ内の被破砕物量に基づき振動フィーダの駆動速度を制御するためのものを示す。
図１１は本制御装置の駆動圧制御に係る作用を説明するためのタイムチャートであり、（ａ）は負荷圧Ｐの経時変化を示すもの、（ｂ）はフィーダの駆動速度の変化を示すもの、（ｃ）は制御用フラグの変化を示すものである。
【００１５】
また、図１２は本制御装置の高さ制御に係る作用を説明するためのタイムチャートであり、（ａ）は被破砕物量の経時変化を示すもの、（ｂ）はフィーダの駆動速度の変化を示すもの、（ｃ）は制御用フラグの変化を示すものである。
また、図１３は本制御装置において駆動圧制御及び高さ制御が同時に実施された場合の作用を説明するためのタイムチャートであり、フィーダの駆動速度の変化を示すものである。
【００１６】
［１．装置構成］
本制御装置は、図１に示す自走式破砕機１０に適用されている。この自走式破砕機１０は、下部走行体１４の上に架台フレームを介してクラッシャ４，ホッパ６，フィーダ（振動フィーダ）５及びメインコンベア８を備えて構成されている。
車体の略中央部に配置されたクラッシャ４は、岩石やコンクリートガラ等の被破砕物を圧砕するための破砕装置である。このクラッシャ４は、可動歯及び固定歯の二枚の押圧板部材を上方へ拡開するように向かい合わせに設けたジョー式の破砕機構を備えており、二枚の押圧板部材間へ投入された被破砕物を圧砕して、下方から排出するようになっている。なお、図２に示すように、クラッシャ４の駆動源である油圧式のクラッシャ用モータ（第一油圧モータ）４ａは、可動歯の車体前方に隣接して設けられている。
【００１７】
また、図２に示すように、クラッシャ４の左右内側面には可動歯と固定歯との間に存在する被破砕物量を検出する手段としての高さセンサ（被破砕物量検出手段）３が設けられている。この高さセンサ３は、車体の左右方向に対をなす光電センサであり、一方から投光される赤外線を他方で受光するよう構成されている。
これにより、一方のセンサから他方のセンサまでの間に被破砕物がある（オン）か否（オフ）かを把握することができるようになっている。本実施形態では、２対の高さセンサ３が設けられている。以下、図２に示すように、上から順に第一高さセンサ３ａ，第二高さセンサ３ｂとも呼ぶ。これらの第一高さセンサ３ａ及び第二高さセンサ３ｂにおける検出情報は、後述するコントローラ１へと入力されるようになっている。
【００１８】
ホッパ６は、クラッシャ４の固定歯の上端部に隣接して設けられた荷受け台であり、図１に示すように上方へ向かって拡径された皿形状をなしている。ここには、例えば油圧ショベルやホイルローダ等が用いられて、クラッシャ４の内部へ供給される被破砕物が投入されるようになっている。また、ホッパ６の底面には振動式のフィーダ５が配設されている。
【００１９】
フィーダ５は、油圧駆動のフィーダ用モータ（第二油圧モータ）５ａでホッパ６上の被破砕物に振動を与えながら、その被破砕物をクラッシャ４の内部へと供給するための装置である。このフィーダ５には、櫛状のグリズリ（ふるい装置）５ｂが設けられており、フィーダ用モータ５ａでフィーダ５全体に振動を与えることによってグリズリ５ｂで被破砕物を選別しつつ、被破砕物を移動させている。ここでは、被破砕物中に雑多に含まれる粒度の細かい小石や砂（細粒，ズリ）がふるい落とされるようになっている。
【００２０】
グリズリ５ｂの下部には、ふるい落とされた細粒を直接メインコンベア８へと導くシュータ７が設けられている。このシュータ７は、細粒の通路をなす筒状の部材であり、その上端部がグリズリ５ｂの下面全体を覆うようにフィーダ５に接続されている。一方、シュータ７の下端部は、クラッシャ４下端部における被破砕物の排出口の近傍へと配向されている。
【００２１】
メインコンベア８は、その上流部をクラッシャ４及びシュータ７の下方に近接して配置されるとともに、その下流部を車体前方へ延設された搬出装置である。図１に示すように、メインコンベア８の先端部には、油圧式のメインコンベア用モータ８ａが取り付けられている。メインコンベア用モータ８ａを駆動することにより、クラッシャ４で破砕された被破砕物とグリズリ５ｂで選別された細粒とを車体前方へ移送することができるようになっている。
【００２２】
ホッパ６上へ投入された被破砕物の移送ラインに着目すると、図２に示すように、クラッシャ４を介してメインコンベア８へ移送されるラインと、シュータ７を介してメインコンベア８へ移送されるラインとの二通りに分岐している。これらのラインの分岐点となる位置で、被破砕物がフィーダ５のグリズリ５ｂによって選別されている。
上記のメインコンベア用モータ８ａ，フィーダ用モータ５ａ及びクラッシャ用モータ４ａは、エンジンルーム１３内に配置された油圧ポンプ１１によって駆動されている。油圧ポンプ１１は、本油圧回路へ作動油を供給する動力源であり、図示しないエンジンによって駆動されている。
【００２３】
また、エンジンルーム１３の車体後方側面には、上記の機器類を操作するための集中コントロールパネル１５が配置されている。ここには、フィーダ５の運転及び停止（オン／オフ）を切り換えるフィーダ運転スイッチや、メインコンベア８の作動及び停止を切り換えるメインコンベア運転スイッチといったスイッチ類、操作者にフィーダ５の作動状態を通知するための報知灯、エンジンキースイッチ、エンジン回転数設定ダイヤル、モニタ装置等が設けられている。これらの入出力装置はそれぞれ、後述するコントローラ１に接続されている。
【００２４】
［２．油圧回路構成］
本自走式破砕機１０のクラッシャ４及びフィーダ５の制御に係る油圧回路を、図３に示す。フィーダ用モータ５ａ及びクラッシャ用モータ４ａは、油圧ポンプ１１に対して互いに並列に接続されている。なお図３は、本発明に係る回路構成要素のみを抽出して示したものであり、メインコンベア用モータ８ａに係る回路やクラッシャ４用のコントロールバルブ，パイロット回路等の記載を省略している。
【００２５】
クラッシャ用モータ４ａと油圧ポンプ１１とを連結する油圧回路上には、駆動圧センサ（駆動圧検出手段）２が設けられている。この駆動圧センサ２は、クラッシャ４の駆動圧（すなわち、クラッシャ用モータ４ａに作用している作動油圧）Ｐを検出する圧力センサである。ここで検出されたクラッシャ４の駆動圧Ｐは、後述するコントローラ１へ入力されるようになっている。
【００２６】
また、油圧ポンプ１１とフィーダ用モータ５ａとを連結する油圧回路上には、フィーダ制御弁５ｃが介装されている。このフィーダ制御弁５ｃは、フィーダ用モータ５ａへの作動油の流量を制御する機能を持った電磁比例弁であり、コントローラ１によって開度を制御されるようになっている。
［３．コントローラ全体構成］
コントローラ１は、マイクロコンピュータで構成された電子制御装置であり、周知のマイクロプロセッサやＲＯＭ，ＲＡＭ等を集積したＬＳＩデバイスとして提供されている。このコントローラ１では、フィーダ制御弁５ｃの弁開度が制御されている。なお、フィーダ用モータ５ａの回転速度は、供給される作動油流量に応じて変化する。したがって、コントローラ１はフィーダ制御弁５ｃの弁開度を変更することで、フィーダ５の駆動速度を制御していることになる。
【００２７】
図３に示すように、コントローラ１の入力側には前述の駆動圧センサ２，第一高さセンサ３ａ及び第二高さセンサ３ｂが接続されており、各センサから入力される情報に基づいて二種類の制御を実施できるようになっている。これらの制御は、何れか一方のみを実施することもでき、あるいは、両方の制御を同時に実施することもできるようになっている。
【００２８】
第一の制御は、クラッシャ４の駆動圧Ｐに基づくフィーダ５の駆動速度の制御である。この制御は、駆動圧Ｐが高くなるに連れてフィーダ５の駆動速度を低下させて、クラッシャ４での破砕能力に見合った量の被破砕物を供給するものである。
一方、第二の制御は、クラッシャ４の内部に存在する被破砕物量（被破砕物の高さ）に基づくフィーダ５の駆動制御である。この制御は、クラッシャ４の内部の被破砕物の高さが高くなった場合にフィーダ５の駆動速度を低下させて、クラッシャ４での破砕能力に見合った量の被破砕物を供給するものである。
【００２９】
例えば、軽石やコンクリートガラのような比較的軟らかい（破砕されやすい）被破砕物がクラッシャ４の内部に大量に供給されると、破砕効率が低下するもののクラッシャ４の駆動圧はあまり上昇しない。一方、自然石のような比較的硬い（破砕されにくい）被破砕物の場合には、少量でもクラッシャ４の駆動圧を上昇させて破砕効率を低下させる場合がある。つまり、被破砕物の種類によって、クラッシャ４の駆動圧を監視した方がよい場合や、被破砕物量を監視した方がよい場合がある。そこで本制御装置では、被破砕物の種類毎に適した制御方法があることに着目して、二種類の制御を同時に実施可能な構成としている。
【００３０】
本実施形態のコントローラ１は、上記の二種類の制御を実現するための具体的な構成として、駆動圧制御開始部（第一制限手段）１ａ，駆動圧制御終了部（第一制限解除手段）１ｂ，高さ制御開始部（第二制御手段）１ｃ及び高さ制御終了部（第二制限解除手段）１ｄを備えて構成されている。なお、これらの各部位において実現される機能は、コンピュータプログラムとしてコントローラ１の内部に記憶されている。
駆動圧制御開始部１ａ及び駆動圧制御終了部１ｂは駆動圧制御を実施するためのものであり、高さ制御開始部１ｃ及び高さ制御終了部１ｄは高さ制御を実施するためのものである。
【００３１】
［３−１．駆動圧に基づく制御］
駆動圧制御開始部１ａは、前述の二種類の制御のうちの前者の制御の開始条件を判定するものであり、クラッシャ４の駆動圧Ｐが予め設定された所定圧力以上となった場合に、フィーダ制御弁５ｃの開度を絞って作動油流量の上限値を制限する制御を実施する。このような制御を以下、駆動圧制御と呼ぶ。
【００３２】
本実施形態では、駆動圧制御の開始条件に係る所定圧力として二つの圧力値Ｐ1，Ｐ3が設定されており、作動油流量の上限値が二段階に制限されるようになっている。つまり、フィーダ５の駆動速度が通常の作動時から二段階に減速制御されている。
まず、駆動圧制御開始部１ａは駆動圧Ｐが所定圧Ｐ1（第一圧力の一つ）以上となった場合に、制御用フラグＦA1をＦA1＝１に設定する。そして、このフラグＦA1がＦA1＝１の状態で所定時間Ｔ1が経過した場合に、制御用フラグＦA2をＦA2＝１に設定して駆動圧制御を開始するようになっている。この駆動圧制御では、作動油流量の上限値がＱ1（第一上限値の一つ）に制限されて、フィーダ５の駆動速度が第一制限速度Ｖ1に減速されるようになっている。
【００３３】
同様に、駆動圧制御開始部１ａは、駆動圧Ｐが所定圧Ｐ1よりも高い所定圧Ｐ3以上となった場合に、制御用フラグＦA3をＦA3＝１に設定し、さらにその状態で所定時間Ｔ2が経過した場合に、制御用フラグＦA4をＦA4＝１に設定して駆動圧制御を開始するようになっている。この場合、作動油流量の上限値がＱ1よりも小さいＱ2（第一上限値の一つ）に制限されて、フィーダ５の駆動速度がさらに第二制限速度Ｖ2まで減速されるようになっている。この第二制限速度Ｖ2は、第一制限速度Ｖ1よりも低速に設定されている。
【００３４】
一方、駆動圧制御終了部１ｂは、開始された駆動圧制御の終了条件を判定するものであり、駆動圧制御開始部１ａで設定された制御フラグの値に応じた判定を行う。まず、二つの制御フラグＦA2，ＦA4がＦA2＝１かつＦA4＝０であるときには、駆動圧Ｐと所定圧Ｐ1よりも低く設定された所定圧Ｐ2とを比較し、所定圧Ｐ2未満となった場合に制御用フラグＦA1をＦA1＝０に設定する。そしてこのフラグＦA1がＦA1＝０の状態で所定時間Ｔ3が経過した場合に、制御用フラグＦA2をＦA2＝０に設定して駆動圧制御を終了させるようになっている。これにより、作動油流量の上限値の設定が解除されて、フィーダ５の駆動速度が駆動圧制御前の通常速度に復帰することになる。
【００３５】
また、制御フラグＦA2，ＦA4がＦA2＝ＦA4＝１であるときには、二段階の強度で制限がなされていることになるため、まず駆動圧Ｐと所定圧Ｐ3よりも低く設定された所定圧Ｐ4とを比較し、所定圧Ｐ4未満となった場合に制御用フラグＦA3をＦA3＝０に設定する。そしてこのフラグＦA3がＦA3＝０の状態で所定時間Ｔ4が経過した場合に、制御用フラグＦA4をＦA4＝０に設定するようになっている。これにより、作動油流量の上限値の設定の一つが解除されて、フィーダ５の駆動速度が第一制限速度Ｖ1に制限された状態となる。つまり、制御フラグＦA2，ＦA4がＦA2＝１かつＦA4＝０となるため、その後も前述の終了条件の判定が継続される。
【００３６】
上記の駆動圧制御を制御内容毎に分類して開始条件及び終了条件をまとめると以下の通りとなる。
〔１〕一段階目の駆動圧制御（フィーダ５の駆動速度をＶ1に制限する制御）
・開始条件：駆動圧Ｐ≧Ｐ1でＴ1以上経過
・終了条件：駆動圧Ｐ＜Ｐ2でＴ2以上経過（ただし、Ｐ1＞Ｐ2）
〔２〕二段階目の駆動圧制御（フィーダ５の駆動速度をＶ2に制限する制御）
・開始条件：駆動圧Ｐ≧Ｐ3でＴ3以上経過（ただし、Ｐ3＞Ｐ1）
・終了条件：駆動圧Ｐ＜Ｐ4でＴ4以上経過（ただし、Ｐ3＞Ｐ4）
このように、駆動圧制御の終了条件に係る駆動圧Ｐ2，Ｐ4は、それぞれ開始条件に係る駆動圧Ｐ1，Ｐ3よりも低く設定されているため、この制御による駆動圧変動にヒステリシスが設けられることになる。上記の制御フラグが示す状態をまとめると以下の通りとなる。
【００３７】
・ＦA1：駆動圧Ｐ≧Ｐ1の状態
・ＦA2：一段階目の駆動圧制御が実施される（されている）状態
・ＦA3：駆動圧Ｐ≧Ｐ3の状態
・ＦA4：二段階目の駆動圧制御が実施される（されている）状態
［３−２．高さに基づく制御］
高さ制御開始部１ｃは、前述の第二の制御の開始条件を判定するものであり、クラッシャ４の内部に所定量以上の被破砕物を検知した場合に、フィーダ制御弁５ｃの開度を絞って作動油流量の上限値を制限する制御を実施する。このような制御を以下、高さ制御と呼ぶ。
【００３８】
高さ制御開始部１ｃは、第一高さセンサ３ａ及び第二高さセンサ３ｂの双方で被破砕物が検知された場合に、制御用フラグＦB1をＦB1＝１に設定する。そして、このフラグＦB1がＦB1＝１の状態で所定時間Ｔ5（第一所定時間）が経過した場合に、制御フラグＦB2をＦB2＝１に設定して高さ制御を開始するようになっている。この高さ制御では、作動油流量の上限値がＱ3（第二上限値）に制限されて、フィーダ５の駆動速度が第三制限速度Ｖ3に減速されるようになっている。なお、ここでは高さ制御による作動油流量の上限値及びフィーダ５の駆動速度が、駆動圧制御における作動油流量の上限値と異なる値に設定されているが、同じ値に（例えば、それぞれをＱ1，Ｖ1に）設定してもよい。
【００３９】
一方、高さ制御終了部１ｄは、開始された高さ制御の終了条件を判定するものであり、第一高さセンサ３ａ及び第二高さセンサ３ｂの双方で被破砕物が検知されなくなった場合に、制御用フラグＦB1をＦB1＝０に設定する。そしてフラグＦB1がＦB1＝０の状態で所定時間Ｔ6（第二所定時間）が経過した場合に、制御用フラグＦB2をＦB2＝０に設定して駆動圧制御を終了させるようになっている。これにより、作動油流量の上限値の設定が解除されて、フィーダ５の駆動速度が駆動圧制御前の通常速度に復帰することになる。
【００４０】
なお、クラッシャ４の排出口から第一高さセンサ３ａまでの高さをＨ1、第二高さセンサまでの高さをＨ2とすると、第一高さセンサ３ａ及び第二高さセンサ３ｂの双方で被破砕物が検知されること、被破砕物の高さがＨ1以上になることと同義である。また、第一高さセンサ３ａ及び第二高さセンサ３ｂの双方で被破砕物が検知されないことは、被破砕物の高さがＨ2未満になることと同義である。
【００４１】
したがって、クラッシャ４の内部に存在する被破砕物量をＭ、その高さをＨ、クラッシャ４の排出口から高さＨ1までの容積をＭ1（第一所定量）、高さＨ2までの容積をＭ2（第二所定量）とすると、上記の高さ制御の開始条件及び終了条件は以下のようにまとめることができる。
【００４２】
〔３〕フィーダ５の駆動速度をＶ3に制限する高さ制御
・開始条件：被破砕物量Ｍ≧Ｍ1でＴ5以上経過
・終了条件：被破砕物量Ｍ＜Ｍ2でＴ6以上経過（ただし、Ｍ1＞Ｍ2）
換言すれば、以下の通りとなる。
【００４３】
・開始条件：高さＨ≧Ｈ1でＴ5以上経過
・終了条件：高さＨ＜Ｈ2でＴ6以上経過（ただし、Ｈ1＞Ｈ2）
このように、高さ制御の終了条件に係る被破砕物量Ｍ2やその高さＨ2は、開始条件に係る被破砕物量Ｍ1やその高さＨ1よりも小さく設定されているため、この制御による駆動圧変動にもヒステリシスが設けられることになる。上記の制御フラグが示す状態をまとめると以下の通りとなる。
【００４４】
・ＦB1：被破砕物量Ｍ≧Ｍ1（高さＨ≧Ｈ1）の状態
・ＦB2：高さ制御が実施される（されている）状態
なお、コントローラ１は、駆動圧制御及び高さ制御を同時に実施する場合には、各々の制御を単独で実施する場合の制御量の論理和を演算して、実際の制御を実施するようになっている。例えば、駆動圧制御に係るフィーダ５の駆動速度Ｖ1，Ｖ2と高さ制御に係るフィーダ５の駆動速度Ｖ3との大小関係がＶ2＜Ｖ3＜Ｖ1であるとき、一段階目の駆動圧制御と高さ制御とが同時に実施される場合には、フィーダ５の駆動速度がより低い速度（より強く制限される）のＶ3となるように制御がなされる。つまりこの場合、高さ制御が優先されるようになっている。また、二段階目の駆動圧制御と高さ制御とが同時に実施される場合には、フィーダ５の駆動速度がＶ2となるように、駆動圧制御が優先されるようになっている。
【００４５】
以下、参考に本実施形態における制御の具体的な設定例を記載する。
・第一制限速度Ｖ1：通常時の設定速度の８０％
・第二制限速度Ｖ2：通常時の設定速度の６０％
・第三制限速度Ｖ3：通常時の設定速度の７０％
・所定時間Ｔ1〜Ｔ6：３秒
・所定圧Ｐ1：クラッシャリリーフ圧の６０％
・所定圧Ｐ2：クラッシャリリーフ圧の５０％
・所定圧Ｐ3：クラッシャリリーフ圧の８０％
・所定圧Ｐ4：クラッシャリリーフ圧の７０％
【００４６】
［４．フローチャート］
本発明に係る破砕機の制御装置１０では、図４〜図１０に示すフローチャートに従って制御が実施される。これらのフローチャートは、コントローラ１の内部において繰り返し実行されている。図４に示すフローが駆動圧制御のメインフローであり、図５〜図７に示フローが駆動圧制御に関連したサブフローとなっている。また、図８に示すフローが高さ制御のメインフローであり、図９，図１０に示すフローが高さ制御に関連したサブフローである。駆動圧制御のメインフロー及び高さ制御のメインフローは、互いに独立して実行できるようになっている。なお、これらのフローチャートに係る制御フラグＦA1，ＦA2，ＦA3，ＦA4，ＦB1及びＦB2の初期値は全て０である。
【００４７】
［４−１．駆動圧制御メインフロー］
図４に示す駆動圧制御のメインフローを説明する。
ステップＡ１０及びステップＡ２０は、駆動圧制御の制御段階を判定するフローである。まずステップＡ１０では、制御フラグＦA2がＦA2＝０であるか否かが判定される。ここでＦA2＝０の場合にはステップＡ３０へ進み、通常時の制御が実施される。すなわち、フィーダ５の駆動速度に制限が加えられず、また、それまで駆動速度が制限されていた場合にはその制限が解除される。そして続くステップＡ４０へ進み、図５に示す駆動圧制御サブフロー１が実施される。なお、駆動圧制御サブフロー１とは、一段階目の駆動圧制御の開始条件を判定するためのフローである。
【００４８】
また、ステップＡ１０での判定結果がＦA2≠０（ＦA2＝１）である場合にはステップＡ２０へ進み、制御フラグＦA4がＦA4＝０であるか否かが判定される。ここで、ＦA4＝０の場合にはステップＡ５０へ進み、一段階目の駆動圧制御が実施される。すなわち、フィーダ５の駆動速度が第一制限速度Ｖ1に制限されるように、作動油流量の上限値がＱ1に制御される。そして続くステップＡ６０では、図６に示す駆動圧制御サブフロー２が実施される。なお、駆動圧制御サブフロー２とは、一段階目の駆動圧制御の終了条件及び二段階目の駆動圧制御の開始条件を判定するためのフローである。
【００４９】
さらに、ステップＡ２０でＦA4≠０（ＦA4＝１）である場合にはステップＡ７０へ進み、二段階目の駆動圧制御が実施される。すなわち、フィーダ５の駆動速度が第二制限速度Ｖ2に制限されるように、作動油流量の上限値がＱ2に制御される。そして続くステップＡ８０では、図７に示す駆動圧制御サブフロー３が実施される。なお、駆動圧制御サブフロー３とは、二段階目の駆動圧制御の終了条件を判定するためのフローである。
上記の通り、この駆動圧制御メインフローでは、制御フラグＦA2及びＦA4に基づいて制御内容が選択されている。これらの制御フラグＦA2及びＦA4は、駆動圧制御サブフロー１〜３の中で随時更新設定されるようになっている。
【００５０】
［４−２．駆動圧制御サブフロー１］
図５に示す駆動圧制御サブフロー１を説明する。メインフローのステップＡ１０の条件判定により、駆動圧制御サブフロー１は制御フラグＦA2，ＦA4がＦA2＝０かつＦA4＝０であるとき、すなわち、駆動圧制御が何も実施されていないときに実行される。
【００５１】
ステップＢ１０では、駆動圧センサ２で検出されたクラッシャ４の駆動圧Ｐがコントローラ１へ入力される。続くステップＢ２０では、駆動圧制御開始部１ａにおいて、駆動圧Ｐが所定圧Ｐ1以上であるか否かが判定される。ここで、Ｐ≧Ｐ1である場合にはステップＢ３０へ進み、Ｐ＜Ｐ1である場合にはステップＢ８０へ進む。
ステップＢ３０では、制御フラグＦA1の値が０であるか否かが判定される。ここでＦA1＝０である場合にはステップＢ４０へ進み、制御フラグＦA1がＦA1＝１に設定され、続くステップＢ５０において第一タイマＴA1のカウントが開始される。この第一タイマＴA1は、所定時間Ｔ1が経過したか否かを判定するためのタイマである。
【００５２】
一方、ステップＢ３０でＦA1≠０（すなわち、ＦA1＝１）である場合にはそのままステップＢ６０へと進む。なお、このステップＢ３０は、一旦駆動圧が所定圧Ｐ1以上となり第一タイマＴA1のカウントが開始された後には、そのカウントを開始するためのステップ（ステップＢ４０〜ステップＢ５０）をスキップするためのステップである。
ステップＢ６０では、第一タイマＴA1のカウント開始から所定時間Ｔ1が経過したか否かが判定される。ここで、ＴA1≧Ｔ1と判定された場合にはステップＢ７０へ進んで制御フラグＦA2がＦA2＝１に設定され、このサブフローは終了する。つまりこの時点で一段階目の駆動圧制御の開始が確定することになる。また、ステップＢ６０でＴA1＜Ｔ1である場合にはステップＢ７０をスキップしてこのサブフローが終了する。
【００５３】
また、ステップＢ２０でＰ＜Ｐ1である場合には、ステップＢ８０で制御フラグＦA1がＦA1＝０に設定され、続くステップＢ９０で第一タイマＴA1がリセットされる。つまり、駆動圧Ｐが一旦所定圧Ｐ1以上になったとしても、その状態が所定時間Ｔ1継続しなければタイマのカウントが停止するため、制御フラグＦA2がＦA2＝１にならず、一段階目の駆動圧制御は開始されない。
【００５４】
［４−３．駆動圧制御サブフロー２］
図６に示す駆動圧制御サブフロー２を説明する。このサブフローは、制御フラグＦA2，ＦA4がＦA2＝１かつＦA4＝０であるとき、すなわち、一段階目の駆動圧制御が実施されているときに実行される。
ステップＣ１０では、駆動圧センサ２で検出されたクラッシャ４の駆動圧Ｐがコントローラ１へ入力される。続くステップＣ２０では、駆動圧制御終了部１ｂにおいて、駆動圧Ｐが所定圧Ｐ2未満であるか否かが判定される。ここで、Ｐ＜Ｐ2である場合にはステップＣ３０へ進み、Ｐ≧Ｐ2である場合にはステップＣ１１０へ進む。
【００５５】
ステップＣ３０では、制御フラグＦA1の値が１であるか否かが判定される。ここでＦA1＝１である場合にはステップＣ４０へ進み、制御フラグＦA1がＦA1＝０に設定され、続くステップＣ５０において第二タイマＴA2のカウントが開始される。この第二タイマＴA2は、所定時間Ｔ2が経過したか否かを判定するためのタイマである。
一方、ステップＣ３０でＦA1≠１（すなわち、ＦA1＝０）である場合にはそのままステップＣ６０へと進む。なお、このステップＣ３０は、一旦駆動圧が所定圧Ｐ2未満となり第二タイマＴA2のカウントが開始された後には、そのカウントを開始するためのステップ（ステップＣ４０〜ステップＣ５０）をスキップするためのステップである。
【００５６】
ステップＣ６０では、第二タイマＴA2のカウント開始から所定時間Ｔ2が経過したか否かが判定される。ここで、ＴA2≧Ｔ2と判定された場合にはステップＣ７０へ進んで制御フラグＦA2がＦA2＝０に設定され、このサブフローは終了する。つまりこの時点で一段階目の駆動圧制御の終了が確定することになる。
また、ステップＣ６０でＴA2＜Ｔ2である場合にはステップＣ７０をスキップしてこのサブフローが終了する。
【００５７】
また、ステップＣ２０でＰ≧Ｐ2である場合には、ステップＣ１１０で制御フラグＦA1がＦA1＝１に設定され、続くステップＣ１２０で第二タイマＴA2がリセットされる。つまり、駆動圧Ｐが一旦所定圧Ｐ2未満になったとしても、その状態が所定時間Ｔ2継続しなければタイマのカウントが停止するため、制御フラグＦA2がＦA2＝０にならず、一段階目の駆動圧制御は終了しない。
【００５８】
さらに続くステップＣ１３０以降のステップは、二段階目の駆動圧制御の開始条件を判定するためのステップである。ステップＣ１３０では、駆動圧制御開始部１ａにおいて、駆動圧Ｐが所定圧Ｐ3以上であるか否かが判定される。ここで、Ｐ≧Ｐ3である場合にはステップＣ１４０へ進み、Ｐ＜Ｐ3である場合にはステップＣ１９０へ進む。
ステップＣ１４０では、制御フラグＦA3の値が０であるか否かが判定される。ここでＦA3＝０である場合にはステップＣ１５０へ進み、制御フラグＦA3がＦA3＝１に設定され、続くステップＣ１６０において第三タイマＴA3のカウントが開始される。この第三タイマＴA3は、所定時間Ｔ3が経過したか否かを判定するためのタイマである。
【００５９】
一方、ステップＣ１４０でＦA3≠０（すなわち、ＦA3＝１）である場合にはそのままステップＣ１７０へと進む。なお、このステップＣ１４０は、一旦駆動圧が所定圧Ｐ3以上となり第三タイマＴA3のカウントが開始された後には、そのカウントを開始するためのステップ（ステップＣ１５０〜ステップＣ１６０）をスキップするためのステップである。
ステップＣ１７０では、第三タイマＴA3のカウント開始から所定時間Ｔ3が経過したか否かが判定される。ここで、ＴA3≧Ｔ3と判定された場合にはステップＣ１８０へ進んで制御フラグＦA4がＦA4＝１に設定され、このサブフローは終了する。つまりこの時点で二段階目の駆動圧制御の開始が確定することになる。また、ステップＣ１７０でＴA3＜Ｔ3である場合にはステップＣ１８０をスキップしてこのサブフローが終了する。
【００６０】
また、ステップＣ１３０でＰ＜Ｐ3である場合には、ステップＣ１９０で制御フラグＦA3がＦA3＝０に設定され、続くステップＣ２００で第三タイマＴA3がリセットされる。つまり、駆動圧Ｐが一旦所定圧Ｐ3以上になったとしても、その状態が所定時間Ｔ3継続しなければタイマのカウントが停止するため、制御フラグＦA4がＦA4＝１にならず、二段階目の駆動圧制御は開始されない。
【００６１】
［４−４．駆動圧制御サブフロー３］
図７に示す駆動圧制御サブフロー３を説明する。このサブフローは、制御フラグＦA2，ＦA4がＦA2＝１かつＦA4＝１であるとき、すなわち、二段階目の駆動圧制御が実施されているときに実行される。
ステップＤ１０では、駆動圧センサ２で検出されたクラッシャ４の駆動圧Ｐがコントローラ１へ入力される。続くステップＤ２０では、駆動圧制御終了部１ｂにおいて、駆動圧Ｐが所定圧Ｐ4未満であるか否かが判定される。ここで、Ｐ＜Ｐ4である場合にはステップＤ３０へ進み、Ｐ≧Ｐ4である場合にはステップＤ８０へ進む。
【００６２】
ステップＤ３０では、制御フラグＦA3の値が１であるか否かが判定される。ここでＦA3＝１である場合にはステップＤ４０へ進み、制御フラグＦA3がＦA3＝０に設定され、続くステップＤ５０において第四タイマＴA4のカウントが開始される。この第四タイマＴA4は、所定時間Ｔ4が経過したか否かを判定するためのタイマである。
一方、ステップＤ３０でＦA3≠１（すなわち、ＦA3＝０）である場合にはそのままステップＤ６０へと進む。なお、このステップＤ３０は、一旦駆動圧が所定圧Ｐ4未満となり第四タイマＴA4のカウントが開始された後には、そのカウントを開始するためのステップ（ステップＤ４０〜ステップＤ５０）をスキップするためのステップである。
【００６３】
ステップＤ６０では、第四タイマＴA4のカウント開始から所定時間Ｔ4が経過したか否かが判定される。ここで、ＴA4≧Ｔ4と判定された場合にはステップＤ７０へ進んで制御フラグＦA4がＦA4＝０に設定され、このサブフローは終了する。つまりこの時点で二段階目の駆動圧制御の終了が確定することになる。また、ステップＤ６０でＴA4＜Ｔ4である場合にはステップＤ７０をスキップしてこのサブフローが終了する。
【００６４】
また、ステップＤ２０でＰ≧Ｐ4である場合には、ステップＤ８０で制御フラグＦA3がＦA3＝１に設定され、続くステップＤ９０で第四タイマＴA4がリセットされる。つまり、駆動圧Ｐが一旦所定圧Ｐ4未満になったとしても、その状態が所定時間Ｔ4継続しなければタイマのカウントが停止するため、制御フラグＦA4がＦA4＝０にならず、二段階目の駆動圧制御は終了しない。
【００６５】
［４−５．高さ制御メインフロー］
図８に示す高さ制御メインフローを説明する。
まずステップＥ１０では、制御フラグＦB2がＦB2＝０であるか否かが判定される。ここでＦB2＝０の場合にはステップＥ２０へ進み、通常時の制御が実施される。すなわち、フィーダ５の駆動速度に制限が加えられず、また、それまで駆動速度が制限されていた場合にはその制限が解除される。そして続くステップＥ３０へ進み、図９に示す高さ制御サブフロー１が実施される。なお、高さ制御サブフロー１とは、高さ制御の開始条件を判定するためのフローである。
【００６６】
また、ステップＥ１０での判定結果がＦB2≠０（ＦB2＝１）である場合にはステップＥ４０へ進み、フィーダ５の駆動速度が第三制限速度Ｖ3に制限されるように、作動油流量の上限値がＱ3に制御される。そして続くステップＥ５０では、図１０に示す高さ制御サブフロー２が実施される。なお、高さ制御サブフロー２とは、高さ制御の終了条件を判定するためのフローである。
上記の通り、この高さ制御メインフローでは、制御フラグＦB2に基づいて制御内容が選択されている。制御フラグＦB2は、駆動圧制御サブフロー１，２の中で随時更新設定されるようになっている。
【００６７】
［４−６．高さ制御サブフロー１］
図９に示す高さ制御サブフロー１を説明する。メインフローのステップＥ１０の条件判定により、高さ制御サブフロー１は制御フラグＦB2がＦB2＝０であるとき、すなわち、高さ制御が実施されていないときに実行される。
【００６８】
ステップＦ１０では、第一高さセンサ３ａ及び第二高さセンサ３ｂによる被破砕物の検出情報がコントローラ１へ入力される。続くステップＦ２０では、高さ制御開始部１ｃにおいて、第一高さセンサ３ａ及び第二高さセンサ３ｂの双方で被破砕物が検知されたか否かが判定される。被破砕物をともに検知した場合にはステップＦ３０へ進み、そうでない場合（すなわち、何れか一方の高さセンサ３が被破砕物を検知した場合か、どちらの高さセンサ３も被破砕物を検知しなかった場合）にはステップＦ８０へ進む。
【００６９】
ステップＦ３０では、制御フラグＦB1の値が０であるか否かが判定される。ここでＦB1＝０である場合にはステップＦ４０へ進み、制御フラグＦB1がＦB1＝１に設定され、続くステップＦ５０において第五タイマＴB1のカウントが開始される。この第五タイマＴB1は、所定時間Ｔ5が経過したか否かを判定するためのタイマである。
一方、ステップＦ３０でＦB1≠０（すなわち、ＦB1＝１）である場合にはそのままステップＦ６０へと進む。なお、このステップＦ３０は、一旦第五タイマＴB1のカウントが開始された後には、そのカウントを開始するためのステップ（ステップＦ４０〜ステップＢ５０）をスキップするためのステップである。
【００７０】
ステップＦ６０では、第五タイマＴB1のカウント開始から所定時間Ｔ5が経過したか否かが判定される。ここで、ＴB1≧Ｔ5と判定された場合にはステップＦ７０へ進んで制御フラグＦB2がＦB2＝１に設定され、このサブフローは終了する。つまりこの時点で高さ制御の開始が確定することになる。また、ステップＦ６０でＴB1＜Ｔ5である場合にはステップＦ７０をスキップしてこのサブフローが終了する。
【００７１】
また、ステップＦ２０において第一高さセンサ３ａと第二高さセンサ３ｂとの少なくとも何れか一方で被破砕物を検知しなかった場合には、ステップＦ８０で制御フラグＦB1がＦB1＝０に設定され、続くステップＦ９０で第五タイマＴB1がリセットされる。つまり、二つの高さセンサ３で被破砕物が非検知となったとしてもタイマのカウントが停止するため、その状態が所定時間Ｔ5継続しなければ制御フラグＦB2がＦB2＝１にならず、高さ制御は開始されない。
【００７２】
［４−７．高さ制御サブフロー２］
図１０に示す高さ制御サブフロー２を説明する。このサブフローは、制御フラグＦB2がＦB2＝１であるとき、すなわち、高さ制御が実施されているときに実行される。
ステップＧ１０では、第一高さセンサ３ａ及び第二高さセンサ３ｂによる被破砕物の検出情報がコントローラ１へ入力される。続くステップＧ２０では、高さ制御終了部１ｄにおいて、第一高さセンサ３ａ及び第二高さセンサ３ｂの双方で被破砕物が非検知であるか否かが判定される。ここで、両者ともに非検知である場合にはステップＧ３０へ進み、そうでない場合（すなわち、少なくとも何れか一方の高さセンサ３が被破砕物を検知した場合）にはステップＧ８０へ進む。
【００７３】
ステップＧ３０では、制御フラグＦB1の値が１であるか否かが判定される。ここでＦB1＝１である場合にはステップＧ４０へ進み、制御フラグＦB1がＦB1＝０に設定され、続くステップＧ５０において第六タイマＴB2のカウントが開始される。この第六タイマＴB2は、所定時間Ｔ6が経過したか否かを判定するためのタイマである。
一方、ステップＧ３０でＦB1≠１（すなわち、ＦB1＝０）である場合にはそのままステップＧ６０へと進む。なお、このステップＧ３０は、一旦第六タイマＴB2のカウントが開始された後には、そのカウントを開始するためのステップ（ステップＧ４０〜ステップＧ５０）をスキップするためのステップである。
【００７４】
ステップＧ６０では、第六タイマＴB2のカウント開始から所定時間Ｔ6が経過したか否かが判定される。ここで、ＴB2≧Ｔ6と判定された場合にはステップＧ７０へ進んで制御フラグＦB2がＦB2＝０に設定され、このサブフローは終了する。つまりこの時点で高さ制御の終了が確定することになる。また、ステップＧ６０でＴB2＜Ｔ6である場合にはステップＧ７０をスキップしてこのサブフローが終了する。
【００７５】
また、ステップＧ２０でＰ≧Ｐ4である場合には、ステップＧ８０で制御フラグＦB1がＦB1＝１に設定され、続くステップＧ９０で第六タイマＴB2がリセットされる。つまり、二つの高さセンサ３で被破砕物が非検知となったとしても、その状態が所定時間Ｔ6継続しなければタイマのカウントが停止するため、制御フラグＦB2がＦB2＝０にならず、高さ制御は終了しない。
【００７６】
［５．作用，効果］
［５−１．駆動圧制御］
まず、コントローラ１において駆動圧制御のみを実施した場合について詳述する。
図１１（ａ）に示すように、クラッシャ４を始動させて作業を開始すると、駆動圧Ｐが徐々に上昇する。破砕作業の過程で一時的に駆動圧Ｐが上昇して時刻ｔ0に所定圧Ｐ1以上になると、図１１（ｂ）に示すように、制御フラグＦA1がＦA1＝１に設定される。しかし、ＦA1＝１の状態が所定時間Ｔ1継続しなければ、制御フラグＦA2がＦA2＝１にならない。所定時間Ｔ1が経過するよりも前に駆動圧Ｐが所定圧Ｐ1を下回る時刻ｔ1には、制御フラグＦA1がＦA1＝０に設定し直されるため、駆動圧制御はまだ開始されない。
【００７７】
このように、制御条件に時間条件を付加することより、所定時間Ｔ1以上継続しないような一時的な駆動圧Ｐの上昇や、駆動圧センサ２における駆動圧Ｐの検出値のうちのノイズ成分の影響を排除することができ、駆動圧制御における誤作動や過剰反応を防止することができる。
その後時刻ｔ2に駆動圧Ｐが所定圧Ｐ1以上になると、制御フラグＦA1が再びＦA1＝１に設定される。そして、時刻ｔ2から所定時間Ｔ1が経過した時刻ｔ3までＦA1＝１の状態が継続すると、図１１（ｃ）に示すように、制御フラグＦA2がＦA2＝１に設定される。
【００７８】
これにより、図１１（ｂ）に示すように、時刻ｔ3から一段階目の駆動圧制御が開始され、フィーダ５の駆動速度が第一制限速度Ｖ1となるようにフィーダ用モータ５ａへ供給される作動油流量の上限値がＱ1に設定されて、フィーダ制御弁５ｃの弁開度が制御される。フィーダ５の駆動速度が通常時の駆動速度よりも低下することになり、クラッシャ４へ供給される被破砕物量が減少するため、クラッシャ４の駆動圧Ｐの上昇を抑制することができる。
【００７９】
さらにその後時刻ｔ4に駆動圧Ｐが所定圧Ｐ3以上になると、制御フラグＦA3がＦA3＝１に設定される。そしてその状態が時刻ｔ4から所定時間Ｔ2が経過した時刻ｔ5まで継続すると、制御フラグＦA4がＦA4＝１に設定される。
これにより、時刻ｔ5からは二段階目の駆動圧制御が開始され、フィーダ５の駆動速度が第二制限速度Ｖ2となるように作動油流量の上限値がＱ1に設定され、フィーダ制御弁５ｃの弁開度が制御される。フィーダ５の駆動速度が一段階目の駆動圧制御時よりもさらに低下することになり、クラッシャ４の駆動圧Ｐの上昇をさらに抑制することができる。
【００８０】
二段階目の駆動圧制御により駆動圧Ｐが徐々に低下し、時刻ｔ6に駆動圧Ｐが所定圧Ｐ4未満になると、制御フラグＦA3がＦA3＝０に設定される。そしてその状態が時刻ｔ6から所定時間Ｔ3が経過した時刻ｔ7まで継続すると、制御フラグＦA4が＝０に設定される。これにより、二段階目の駆動圧制御が終了して一段階目の駆動圧制御に復帰するため、フィーダ５の駆動速度が第一制限速度Ｖ1となるように制御される。
【００８１】
さらに、時刻ｔ8に駆動圧Ｐが所定圧Ｐ2未満になると、制御フラグＦA1がＦA1＝０に設定される。そしてその状態が時刻ｔ8から所定時間Ｔ4が経過した時刻ｔ9まで継続すると、制御フラグＦA2がＦA2＝０に設定される。これにより、一段階目の駆動圧制御も終了し、フィーダ５が通常時の駆動速度で駆動される。
このように、クラッシャ４の駆動圧Ｐに応じてフィーダ５の駆動速度を制御することで、クラッシャ４の過負荷状態を未然に防ぐことができる。また、図１１（ａ），（ｂ）に示すように、一段階目の駆動圧制御の終了条件に係る所定圧Ｐ2が、その制御の開始条件に係る所定圧Ｐ1よりも低圧に設定されているため、駆動圧Ｐの変動にヒステリシスを設けることができる。
【００８２】
例えば、単に所定圧Ｐ1のみを駆動圧制御の開始，終了条件の閾値に設定すると、時刻ｔ0〜ｔ1間に見られるように、駆動圧Ｐが所定圧Ｐ1の前後で振動変化したような場合に、短時間で繰り返し制御が実施されることになり、駆動圧Ｐが安定しない。これに対し、本発明の制御装置によれば、制御のハンチングを防止することができ、駆動圧Ｐの変動を安定化させることができる。またこれにより、クラッシャ４の安定駆動が可能となり、破砕作業効率を向上させることができる。特に、軽石やコンクリートガラよりも硬度の高い自然石等を破砕する場合には、駆動圧制御が効果的である。
【００８３】
［５−２．高さ制御］
次に、コントローラ１において高さ制御のみを実施した場合について詳述する。
図１２（ａ）に示すように、クラッシャ４を作動させて作業を開始すると、被破砕物の高さが徐々に上昇する。時刻ｔ10に被破砕物の高さがＨ2に達すると、その被破砕物が第二高さセンサ３ｂで検知される。一方、第一高さセンサ３ａでは被破砕物がまだ検知されていないため、高さ制御は開始されない。
【００８４】
その後、時刻ｔ11に被破砕物の高さがＨ1に達し、被破砕物が第一高さセンサ３ａ及び第二高さセンサ３ｂの双方で検知されると、図１２（ｃ）に示すように、制御フラグＦB1がＦB1＝１に設定される。そして、時刻ｔ11から所定時間ｔ5が経過した時刻ｔ12までＦB1＝１の状態が継続すると、図１２（ｃ）に示すように、制御フラグＦB2がＦB2＝１に設定される。
【００８５】
これにより、図１２（ｂ）に示すように、時刻ｔ12から高さ制御が開始され、フィーダ５の駆動速度が第三制限速度Ｖ3となるように作動油流量の上限値がＱ3に設定されて、フィーダ制御弁５ｃの弁開度が制御される。フィーダ５の駆動速度が通常時の駆動速度よりも低下することになり、クラッシャ４へ供給される被破砕物量が減少するため、クラッシャ４の内部に貯留された被破砕物量の増加を抑制することができる。
【００８６】
その後被破砕物量が減少し、時刻ｔ13に被破砕物の高さがＨ2を下回るようになると、制御フラグＦB1が＝０に設定される。そしてその状態が時刻ｔ13から所定時間ｔ6が経過した時刻ｔ14まで継続すると、制御フラグＦB2がＦB2＝０に設定される。これにより、高さ制御が終了し、フィーダ５が通常時の駆動速度で駆動される。
このように、クラッシャ４の内部に存在する被破砕物量に応じてフィーダ５の駆動速度を制御することにより、被破砕物の過剰供給を未然に防ぐことができる。また、図１２（ａ），（ｂ）に示すように、高さ制御の終了条件に係る被破砕物の高さＨ2が、その制御の開始条件に係る被破砕物の高さＨ1よりも低く設定されているため、被破砕物量の変動にヒステリシスを設けることができる。特に、軽石やコンクリートガラのように、自然石よりも軟らかい被破砕物を破砕する際には、クラッシャ４の内部に過剰供給されたとしても駆動圧Ｐが上昇しない場合があるため、高さ制御が効果的である。
【００８７】
［５−３．駆動圧制御及び高さ制御の組合せ］
さらに、コントローラ１において駆動圧制御と高さ制御とを同時に実施した場合について詳述する。
図１３には、図１１（ｂ）に示されたフィーダ駆動速度と図１２（ｂ）に示されたフィーダ駆動速度とが破線で示されている。コントローラ１では、各制御を単独で実施する場合の制御量の論理和が演算されるため、結果として図１３中に実線で示されたような制御が実施される。
【００８８】
まず、時刻ｔ3から時刻ｔ5の間は、一段階目の駆動圧制御が実施されてフィーダ５の駆動速度が第一制限速度Ｖ1に制限される。続いて時刻ｔ5から時刻ｔ7の間は、二段階目の駆動圧制御が実施されてフィーダ５の駆動速度が第二制限速度Ｖ2に制限される。なお、時刻ｔ12から時刻ｔ7の間には高さ制御の開始条件も成立しているが、ここでは高さ制御に係る第三制限速度Ｖ3よりも二段階目の駆動圧制御に係る第二制限速度Ｖ2の方がより低い速度に設定されているため、二段階目の駆動圧制御が優先されている。これにより、単純に制御量を加算する手法と比較して、過剰な制御を抑制することができる。
【００８９】
また、時刻ｔ7から時刻ｔ14の間は、高さ制御が実施されてフィーダ５の駆動速度が第三制限速度Ｖ3に制限される。そして時刻ｔ14になると、駆動圧制御及び高さ制御がともに終了し、フィーダ５が通常時の駆動速度で駆動される。
このように、クラッシャ４の駆動圧Ｐと被破砕物量との双方を参照して二重の制御を実施することによって、被破砕物の種類にかかわらず、過負荷を防止してクラッシャ４を安定駆動することができる。例えば、コンクリートガラと自然石とを交互にホッパ６上へ投入して破砕作業を行うような場合であっても、クラッシャ４及びフィーダ５を停止させることなく、適切に被破砕物の供給量を調節することができ、破砕効率を向上させることができる。
【００９０】
［６．その他］
以上、本発明の一実施形態について説明したが、本発明は上述の実施形態に限定されるものではなく、本発明の趣旨を逸脱しない範囲で種々変形して実施することができる。
例えば、上述の実施形態では、コントローラ１が駆動圧制御と高さ制御とを同時にあるいは単独で実施できるように構成されているが、何れか一方の制御のみを実施するような構成としてもよい。駆動圧制御のみを実施する場合には、少なくとも駆動圧制御開始部１ａ及び駆動圧制御終了部１ｂがコントローラ１に備えられていればよく、高さ制御のみを実施する場合には、少なくとも高さ制御開始部１ｃ及び高さ制御終了部１ｄがコントローラ１に備えられていればよい。
【００９１】
また、上述の実施形態では、駆動圧制御が二段階の強度でフィーダ５の駆動速度が制限されるようになっているが、制御の開始条件及び終了条件を追加して多段階の制御とすることも考えられる。あるいは、上述の実施形態における高さ制御のように、一段階の制御にしてもよい。
また、上述の実施形態では、クラッシャ４の内部に存在する被破砕物量を検出するための具体的例として、複数の高さセンサ３を異なる高さに配置した構成を例示したが、センサの種類や数はこれに限定されない。例えば、高さセンサ３の個数を増やせば、被破砕物量をより正確に把握することができ、きめの細かい制御が可能となる。また、特許文献２に記載されたように一個の超音波センサを利用して被破砕物の高さを検出する構成としてもよい。
【００９２】
なお、上述の実施形態では本制御装置を自走式破砕機１０に適用したものを例示したが、定置式のジョークラッシャやコーンクラッシャ等にも適用することが可能である。少なくとも、油圧駆動のクラッシャ及びフィーダを備えた破砕機であれば、適用することができる。また、上述の実施形態の制御における所定圧Ｐ1〜Ｐ4、第一〜第三駆動速度Ｖ1〜Ｖ3、所定時間Ｔ1〜Ｔ6等の具体的な設定値は任意である。
【図面の簡単な説明】
【００９３】
【図１】本発明の一実施形態に係る破砕機の制御装置が適用された自走式破砕機の全体構成を示す側面図である。
【図２】本発明の一実施形態に係る破砕機の制御装置が適用された自走式破砕機の内部構成を模式的に示す簡易断面図である。
【図３】本発明の一実施形態に係る破砕機の制御装置に係る油圧回路・制御ブロック構成図である。
【図４】本発明の一実施形態に係る破砕機の制御装置の制御内容を示すフローチャートであり、クラッシャの駆動圧に基づき振動フィーダの駆動速度を制御するためのメインフローである。
【図５】本発明の一実施形態に係る破砕機の制御装置の制御内容を示すフローチャートであり、クラッシャの駆動圧に基づき振動フィーダの駆動速度を制御するためのサブフローである。
【図６】本発明の一実施形態に係る破砕機の制御装置の制御内容を示すフローチャートであり、クラッシャの駆動圧に基づき振動フィーダの駆動速度を制御するためのサブフローである。
【図７】本発明の一実施形態に係る破砕機の制御装置の制御内容を示すフローチャートであり、クラッシャの駆動圧に基づき振動フィーダの駆動速度を制御するためのサブフローである。
【図８】本発明の一実施形態に係る破砕機の制御装置の制御内容を示すフローチャートであり、クラッシャ内の被破砕物量に基づき振動フィーダの駆動速度を制御するためのメインフローである。
【図９】本発明の一実施形態に係る破砕機の制御装置の制御内容を示すフローチャートであり、クラッシャ内の被破砕物量に基づき振動フィーダの駆動速度を制御するためのサブフローである。
【図１０】本発明の一実施形態に係る破砕機の制御装置の制御内容を示すフローチャートであり、クラッシャ内の被破砕物量に基づき振動フィーダの駆動速度を制御するためのサブフローである。
【図１１】本発明の一実施形態に係る破砕機の制御装置の駆動圧制御に係る作用を説明するためのタイムチャートであり、（ａ）は負荷圧Ｐの経時変化を示すもの、（ｂ）はフィーダの駆動速度の変化を示すもの、（ｃ）は制御用フラグの変化を示すものである。
【図１２】本発明の一実施形態に係る破砕機の制御装置の高さ制御に係る作用を説明するためのタイムチャートであり、（ａ）は被破砕物量の経時変化を示すもの、（ｂ）はフィーダの駆動速度の変化を示すもの、（ｃ）は制御用フラグの変化を示すものである。
【図１３】本発明の一実施形態に係る破砕機の制御装置において駆動圧制御及び高さ制御が同時に実施された場合の作用を説明するためのタイムチャートであり、フィーダの駆動速度の変化を示すものである。
【符号の説明】
【００９４】
１  コントローラ
１ａ  駆動圧制御開始部（第一制限手段）
１ｂ  駆動圧制御終了部（第一制限解除手段）
１ｃ  高さ制御開始部（第二制限手段）
１ｄ  高さ制御終了部（第二制限解除手段）
２  駆動圧センサ（駆動圧検出手段）
３  高さセンサ（被破砕物量検出手段）
３ａ  第一高さセンサ
３ｂ  第二高さセンサ
４  クラッシャ
４ａ  クラッシャ用モータ（第一油圧モータ）
５  フィーダ（振動フィーダ）
５ａ  フィーダ用モータ（第二油圧モータ）
５ｂ  グリズリ
５ｃ  フィーダ制御弁
６  ホッパ
７  シュータ
８  メインコンベア
８ａ  メインコンベア用モータ
１０  自走式破砕機
１１  油圧ポンプ
１３  エンジンルーム
１４  下部走行体
１５  集中コントロールパネル
【図１】
2009142731.tif 000003
【図２】
2009142731.tif 000004
【図３】
2009142731.tif 000005
【図４】
2009142731.tif 000006
【図５】
2009142731.tif 000007
【図６】
2009142731.tif 000008
【図７】
2009142731.tif 000009
【図８】
2009142731.tif 000010
【図９】
2009142731.tif 000011
【図１０】
2009142731.tif 000012
【図１１】
2009142731.tif 000013
【図１２】
2009142731.tif 000014
【図１３】
2009142731.tif 000015